(57)【特許請求の範囲】
【請求項１】
光ディスクに対してレーザ照射を行い、反射光信号としての再生情報信号を得る再生ヘッド部と、
上記再生ヘッド部で得られる再生情報信号についてのディフェクト信号成分を除去するようにカットオフ周波数が設定されたＰＬＬ処理用ハイパスフィルタ部と、
上記ＰＬＬ処理用ハイパスフィルタ部を通過した再生情報信号を用いてＰＬＬ処理を行うＰＬＬ回路部と、
上記再生ヘッド部で得られた再生情報信号であって、上記ＰＬＬ処理用ハイパスフィルタ部を通過していない再生情報信号に対して、上記ＰＬＬ回路部の出力を用いた処理を行って復号用のデータを得る信号処理部と、
上記信号処理部の出力について復号処理を行って２値化データを出力する復号部と、
上記復号部で得られた２値化データに対してデータ再生処理を行って再生データを得るデータ再生処理部と、
を備えた再生装置。
【請求項２】
上記ＰＬＬ処理用ハイパスフィルタ部には、上記再生ヘッド部で得られた再生情報信号であって、上記信号処理部への入力前の再生情報信号、又は上記信号処理部での処理過程の再生情報信号、又は上記信号処理部での処理後の再生情報信号のいずれかが、入力される請求項１に記載の再生装置。
【請求項３】
上記ＰＬＬ回路部は、位相比較器と電圧制御発振器を有しており、上記ＰＬＬ処理として、上記位相比較器により上記ＰＬＬ処理用ハイパスフィルタ部を通過した再生情報信号と上記電圧制御発振器の出力信号との位相比較を行い、上記電圧制御発振器が位相比較結果に基づいて周波数信号の出力を行うものとされ、
上記信号処理部及び上記復号部は、上記ＰＬＬ回路部から出力される周波数信号を処理クロックとして用いる請求項２に記載の再生装置。
【請求項４】
上記ＰＬＬ回路部は、位相検出器と数値制御発振器を有しており、上記ＰＬＬ処理として、上記位相検出器により上記ＰＬＬ処理用ハイパスフィルタ部を通過した再生情報信号についての位相誤差の検出を行い、上記数値制御発振器が位相誤差の検出結果に基づいて位相制御情報を出力するものとされ、
上記信号処理部は、上記ＰＬＬ処理用ハイパスフィルタ部を通過していない再生情報信号を固定周波数クロックでサンプリングしたデータに対して、上記位相制御情報を用いて補間処理を行い、上記復号用のデータを得る請求項２に記載の再生装置。
【請求項５】
上記信号処理部には、上記再生ヘッド部で得られる再生情報信号のうちで実情報としての信号帯域を通過させるようにカットオフ周波数が設定された信号処理用フィルタ部が設けられている請求項２に記載の再生装置。
【請求項６】
光ディスクから読み出された再生情報信号について、ディフェクト信号成分を除去するようにカットオフ周波数が設定されたＰＬＬ処理用ハイパスフィルタ部でフィルタ処理を行うステップと、
上記ＰＬＬ処理用ハイパスフィルタ部を通過した再生情報信号を用いてＰＬＬ回路部でＰＬＬ処理を行うステップと、
光ディスクから読み出された再生情報信号であって、上記ＰＬＬ処理用ハイパスフィルタ部を通過していない再生情報信号に対して、上記ＰＬＬ回路部の出力を用いた処理を行って復号用のデータを得る信号処理ステップと、
上記信号処理ステップで得られた出力について復号処理を行って２値化データを出力するステップと、
上記復号処理で得られた２値化データに対してデータ再生処理を行って再生データを得るステップと、
を備えた再生方法。
【請求項７】
光ディスクから読み出された再生情報信号についてのディフェクト信号成分を除去するようにカットオフ周波数が設定されたＰＬＬ処理用ハイパスフィルタ部と、
上記ＰＬＬ処理用ハイパスフィルタ部を通過した再生情報信号を用いてＰＬＬ処理を行うＰＬＬ回路部と、
上記再生ヘッド部で得られた再生情報信号であって、上記ＰＬＬ処理用ハイパスフィルタ部を通過していない再生情報信号に対して、上記ＰＬＬ回路部の出力を用いた処理を行って復号用のデータを得る信号処理部と、
上記信号処理部の出力について復号処理を行って２値化データを出力する復号部と、
を備えたデータ検出処理回路。
【発明の詳細な説明】
【技術分野】
【０００１】
本発明は、光ディスクに対する再生装置、再生方法、及び再生装置に搭載されるデータ検出処理回路に関する。
【背景技術】
【０００２】
【特許文献１】特開２００６−１１４０７４号公報
【特許文献２】特開２００５−２８５２９３号公報
【特許文献３】特開２００６−１２０２５５号公報
【特許文献４】国際公開第０１／０５２２４９号パンフレット
【特許文献５】特開２００２−２８８８３９号公報
【特許文献６】特開２００３−１３２５３３号公報
【特許文献７】特開２００２−１２３９４５号公報
【特許文献８】特開２００３−３０８４９号公報
【０００３】
近年、符号化および信号処理技術によって磁気ディスクや光ディスクの記録密度を高めようとするＰＲＭＬ（Partial-Response Maximum-Likelihood）方式の実用化が進んでいる。
ＰＲＭＬ方式はパーシャルレスポンスとビタビ復号を組み合わせた信号処理方式で、高い符号化利得が得られる。
例えばブルーレイディスク（Blu-ray Disc：登録商標）等の高密度記録の光ディスクに対する再生装置では、光ディスクから反射光情報として読み出される再生情報信号に対する処理系として、ＰＲＭＬ方式のデータ検出処理が行われている。
【０００４】
再生装置に搭載される、ＰＲＭＬ方式を用いたデータ検出処理回路系を図７に示す。
光学ピックアップによって光ディスクから読み出され、電気信号とされた再生情報信号は、例えばＨＰＦ（ハイパスフィルタ）１０１で低域成分の除去（いわゆるＤＣカット）が行われた後、Ａ／Ｄ変換器１０２でデジタルデータに変換される。そしてＡＧＣ（Automatic Gain Control）回路１０３により振幅を自動調整され、波形等化器１０４によりパーシャルレスポンス波形等化される。
そしてこの波形等化された信号がビタビ復号器１０５で最尤復号処理され、その復号結果として２値化されたチャネルデータが出力される。
このチャネルデータが、図示しない後段のデータデコーダに供給され、復調処理されることで再生データが得られる。
【０００５】
ここで、Ａ／Ｄ変換器１０２のサンプリングクロックや、波形等化器１０４，ビタビ復号器１０５の処理基準クロックとしては、再生情報信号に同期したチャネルクロックが必要であるが、このためにＰＬＬ（Phase Locked Loop）回路１０６が設けられる。
ＰＬＬ回路１０６は、例えばＶＣＯ（電圧制御発振器）１１１、位相比較器１１２、ループフィルタ１１３、Ｄ／Ａ変換器１１４を有する。
位相比較器１１２は、例えば波形等化器１０４の出力段階での再生情報信号と、ＶＣＯ１１１の出力とについて位相比較を行う。この位相比較結果がループフィルタ１１３に与えられて位相誤差信号とされ、Ｄ／Ａ変換器１１４でアナログ信号に変換される。即ち位相差信号としての電圧がＶＣＯ１１１に供給される。
ＶＣＯ１１１には、水晶系の固定の基準クロックが供給されており、Ｄ／Ａ変換器１１４から入力される位相誤差電圧に応じて、基準クロックの周波数を上下に可変して出力する。この結果、出力されるチャネルクロックは、再生情報信号に同期したクロックとなり、このチャネルクロックがＡ／Ｄ変換器１０２のサンプリングクロック、波形等化器１０４，ビタビ復号器１０５の処理基準クロックとして用いられる。
【０００６】
また近年では、固定クロックで再生情報信号を標本化したデータを補間することで、タイミングリカバリを行い、同期回路を構成する方式（ＩＴＲ：Interpolated Timing Recovery）も提案されている。
ＩＴＲ方式を採用する場合の構成を図８に示す。
この場合、Ａ／Ｄ変換器１０２でのサンプリングは、周波数シンセサイザ１０９から出力される固定クロックを用いて行われる。周波数シンセサイザ１０９は、例えば水晶系の基準クロックを用いて、基準クロックより多少高めの周波数の固定クロックを出力する。
ＨＰＦ１０１、Ａ／Ｄ変換器１０２、ＡＧＣ回路１０３、波形等化器１０４でそれぞれ処理された再生情報信号は、位相補間器１０８で補間処理されることで、適切なタイミングのデータ、つまり再生情報信号としての適切な信号値のデータが得られ、これがビタビ復号器１０５で復号されて２値化データ（チャネルデータ）が得られる。
この場合、ＩＴＲ−ＰＬＬ回路１０７が設けられており、このＩＴＲ−ＰＬＬ回路１０７は、例えばビタビ復号器１０５の入力段のデータについて、本来の位相との位相誤差検出を行う。そしてその位相誤差に応じて位相制御信号を生成し、位相補間器１０８に与える。位相補間器１０８は、位相制御情報に基づいて補間処理を行う。
Ａ／Ｄ変換器１０２のサンプリングクロックは固定クロックであり、再生情報信号とは同期していないため、再生情報信号の各データ値は、同期タイミングからずれたタイミングでの信号値となっているが、この位相補間器１０８で、同期タイミングにおける信号値を補間生成することで、結果として再生情報信号に同期したタイミングのデータが得られる。これによって、ビタビ復号器１０５で適切な復号処理が行われる。
【発明の開示】
【発明が解決しようとする課題】
【０００７】
ところで、例えばブルーレイディスク等の光ディスクであって、カートリッジに収納されないタイプのいわゆるベアディスクでは、取り扱い時に記録面に指紋が付着してしまうことが多々ある。
光ディスクの記録面側に指紋が付着すると、その領域で再生光ならびに記録光が散乱し減衰するため、再生信号品質ならびに記録信号品質が著しく悪化し、最悪の場合その領域の再生が不可能になってしまう問題がある。
なお指紋以外にも、埃、傷、汚れその他多様な原因があるが、本明細書では、これらの指紋等をまとめて「ディフェクト」と呼び、そのディフェクトの影響で現れる信号成分をディフェクト信号成分と呼ぶこととする。
【０００８】
従来、指紋等によるディフェクトにより再生情報信号が劣化した場合に生じる信号レベルの変動に対しては、ＡＧＣ回路１０３が持つ時定数や、ＨＰＦ１０１のカットオフ周波数で補償していた。
つまり、ＨＰＦ１０１により再生情報信号の低域変動を除去することで、再生情報信号のセンターレベルのオフセットを除去する。そしてＡＧＣ回路１０３で、振幅調整（振幅レベルに応じたゲイン付与）を行って、ディフェクトの影響を排除した再生信号波形を得る。このようにディフェクトの影響を除去した後、波形等化器１０４、ビタビ復号器１０５の処理で２値データ列を得る。
【０００９】
但し、指紋付着等による再生情報信号の変動は、通常のディスク再生時に１周内でみられる信号変動よりも高い周波数帯域で発生する。このため、上記のような回路で耐ディフェクト性能の向上を図る場合、ＨＰＦ１０１及びＡＧＣ回路１０３を、通常のディスク１周内変動を想定した周波数帯域よりも、より高い周波数帯域まで機能するものとしている。
ところが、ＨＰＦ１０１やＡＧＣ回路１０３の周波数帯域を高めると、ディスクへの記録信号（実再生情報としての信号成分）自体の周波数帯域と重なることになり、非ディフェクト領域も含め再生信号自体を歪ませてしまうことになり、再生性能を悪化させてしまうという問題が生じた。
【００１０】
実際、ブルーレイディスクの１倍速再生時に典型的な指紋付着部の再生信号の変動成分を効果的に低減しようとした場合、ＨＰＦ１０１やＡＧＣ回路１０３の周波数帯域の上限を６０〜６００ＫＨｚ程度に設定する必要がある。ところが、これはブルーレイディスクで採用されているＲＬＬ（１−７）ｐｐ変調方式による記録信号の低域側スペクトラムと重複している。図９には、ＲＬＬ（１−７）ｐｐ変調方式による記録信号の周波数スペクトラムと、指紋が外乱として影響する帯域を示しているが、図示するように、信号帯域の低域側は、指紋による変動成分の帯域と重複する。
【００１１】
このため、ＨＰＦ１０１やＡＧＣ回路１０３を、指紋の影響を的確に排除するために周波数帯域の上限を６０〜６００ＫＨｚ程度とすると、この帯域の本来の再生信号成分自体までもが、ＨＰＦ１０１やＡＧＣ回路１０３により変調を受けてしまうことになり、これによって、ジッタやエラーレートなどの信号品質指標でも検出されるような無視できない信号品質の悪化がおきてしまう。
【００１２】
以上のことをまとめると、ＡＧＣ回路１０３の帯域やＨＰＦ１０１のカットオフ周波数上げると信号レベル変動が抑えられるのでディフェクトには強くなるが、ディスクへの記録信号自体の周波数帯域と重なることになり、非ディフェクト領域も含め再生信号自体を歪ませてしまうことになり、再生特性を悪化させてしまう。
一方、ＡＧＣ回路１０３の帯域やＨＰＦ１０１のカットオフ周波数を下げると、再生特性は良くなるが信号レベル変動が抑えられず、耐ディフェクト性が弱くなってしまう。
これらの性能を両立させる適当な帯域が十分あれば問題ないが、ブルーレイディスクなどの記録密度が高い光ディスクではこの帯域が狭くなる傾向にあり、結局、耐ディフェクト性と再生特性の両立は困難となっている。
【００１３】
そこで本発明では、新規な回路構成を提案し、耐ディフェクト性と再生特性の両立を実現することを目的とする。
【課題を解決するための手段】
【００１４】
本発明の再生装置は、光ディスクに対してレーザ照射を行い、反射光信号としての再生情報信号を得る再生ヘッド部と、上記再生ヘッド部で得られる再生情報信号についてのディフェクト信号成分を除去するようにカットオフ周波数が設定されたＰＬＬ処理用ハイパスフィルタ部と、上記ＰＬＬ処理用ハイパスフィルタ部を通過した再生情報信号を用いてＰＬＬ処理を行うＰＬＬ回路部と、上記再生ヘッド部で得られた再生情報信号であって、上記ＰＬＬ処理用ハイパスフィルタ部を通過していない再生情報信号に対して、上記ＰＬＬ回路部の出力を用いた処理を行って復号用のデータを得る信号処理部と、上記信号処理部の出力について復号処理を行って２値化データを出力する復号部と、上記復号部で得られた２値化データに対してデータ再生処理を行って再生データを得るデータ再生処理部とを備える。
【００１５】
また上記ＰＬＬ処理用ハイパスフィルタ部には、上記再生ヘッド部で得られた再生情報信号であって、上記信号処理部への入力前の再生情報信号、又は上記信号処理部での処理過程の再生情報信号、又は上記信号処理部での処理後の再生情報信号のいずれかが、入力されるようにする。
また上記ＰＬＬ回路部は、位相比較器と電圧制御発振器を有しており、上記ＰＬＬ処理として、上記位相比較器により上記ＰＬＬ処理用ハイパスフィルタ部を通過した再生情報信号と上記電圧制御発振器の出力信号との位相比較を行い、上記電圧制御発振器が位相比較結果に基づいて周波数信号の出力を行うものとされ、上記信号処理部及び上記復号部は、上記ＰＬＬ回路部から出力される周波数信号を処理クロックとして用いる構成とする。
或いは、上記ＰＬＬ回路部は、位相検出器と数値制御発振器を有しており、上記ＰＬＬ処理として、上記位相検出器により上記ＰＬＬ処理用ハイパスフィルタ部を通過した再生情報信号についての位相誤差の検出を行い、上記数値制御発振器が位相誤差の検出結果に基づいて位相制御情報を出力するものとされ、上記信号処理部は、上記ＰＬＬ処理用ハイパスフィルタ部を通過していない再生情報信号を固定周波数クロックでサンプリングしたデータに対して、上記位相制御情報を用いて補間処理を行い、上記復号用のデータを得る構成とする。
また上記信号処理部には、上記再生ヘッド部で得られる再生情報信号のうちで実情報としての信号帯域を通過させるようにカットオフ周波数が設定された信号処理用フィルタ部が設けられているものとする。
【００１６】
本発明の再生方法は、光ディスクから読み出された再生情報信号について、ディフェクト信号成分を除去するようにカットオフ周波数が設定されたＰＬＬ処理用ハイパスフィルタ部でフィルタ処理を行うステップと、上記ＰＬＬ処理用ハイパスフィルタ部を通過した再生情報信号を用いてＰＬＬ回路部でＰＬＬ処理を行うステップと、光ディスクから読み出された再生情報信号であって、上記ＰＬＬ処理用ハイパスフィルタ部を通過していない再生情報信号に対して、上記ＰＬＬ回路部の出力を用いた処理を行って復号用のデータを得る信号処理ステップと、上記信号処理ステップで得られた出力について復号処理を行って２値化データを出力するステップと、上記復号処理で得られた２値化データに対してデータ再生処理を行って再生データを得るステップとを備える。
【００１７】
本発明のデータ検出処理回路は、光ディスクから読み出された再生情報信号についてのディフェクト信号成分を除去するようにカットオフ周波数が設定されたＰＬＬ処理用ハイパスフィルタ部と、上記ＰＬＬ処理用ハイパスフィルタ部を通過した再生情報信号を用いてＰＬＬ処理を行うＰＬＬ回路部と、上記再生ヘッド部で得られた再生情報信号であって、上記ＰＬＬ処理用ハイパスフィルタ部を通過していない再生情報信号に対して、上記ＰＬＬ回路部の出力を用いた処理を行って復号用のデータを得る信号処理部と、上記信号処理部の出力について復号処理を行って２値化データを出力する復号部とを備える。
【００１８】
これらの本発明では、光ディスクから読み出された再生情報信号についてのディフェクト信号成分を除去するようにカットオフ周波数が設定されたＰＬＬ処理用ハイパスフィルタ部を設け、指紋等の影響によるディフェクト信号成分が除去された再生情報信号を用いてＰＬＬ処理が行われるようにする。
一方で、二値化復号を行う信号処理部及び復号部で処理される再生情報信号については、ディフェクト信号成分を除去するフィルタ処理は行わない構成とする。
つまり従来では、チャネルクロック生成やＩＴＲ方式での位相制御情報生成のためのＰＬＬ処理に用いる信号と、二値化復号のための信号検出を行う信号は、同じフィルタ処理が行われた再生情報信号が用いられていたが、本発明の場合は、チャネルクロック生成やＩＴＲ方式での位相制御情報生成のためのＰＬＬ処理に用いる信号のみに、ディフェクト信号成分が除去された再生情報信号を用いるようにする。
二値化復号を行う再生情報信号については、ディフェクト信号成分除去のためのフィルタ処理は行わないため、ディフェクト信号成分帯域と実信号帯域（記録信号帯域）が一部重なっていても、その実信号成分をカットしてしまうことはない。
【発明の効果】
【００１９】
本発明では、再生情報信号を用いたＰＬＬ処理の出力（クロックや位相制御信号）を用いて信号検出・２値化を行う回路において、ＰＬＬ回路部に入力される再生情報信号についてＰＬＬ処理用ハイパスフィルタ部により光ディスクの信号読み取り面側に付着した指紋等によるディフェクトで変動する信号成分を除去している。
これによって、ディフェクトの影響で再生情報信号の品質が劣化してもＰＬＬ回路部を安定に動作させることができ、その結果としてディフェクトがあっても信号検出能力を高められるという効果がある。
また二値化復号を行う再生情報信号については、ディフェクト信号成分除去のためのフィルタ処理は行わず、従って実信号成分は保たれていることで、ディフェクトがない領域で再生特性が悪化するということがない。
従って、上記ＰＬＬ回路の安定動作と合わせて、耐ディフェクト性と再生特性の両立が実現できる。
【発明を実施するための最良の形態】
【００２０】
以下では、本発明の再生装置、再生方法の実施の形態として、ディスクドライブ装置及びその動作を説明する。また本発明のデータ検出処理回路の例としてディスクドライブ装置内に設けられるデータ検出処理部を挙げる。説明は次の順序で行う。
［１．ディスクドライブ装置の構成］
［２．データ検出処理部の第１の構成例（ＰＬＬ回路搭載例）］
［３．データ検出処理部の第２の構成例（ＩＴＲ−ＰＬＬ回路搭載例）］
［４．実施の形態の効果］
【００２１】
［１．ディスクドライブ装置の構成］
本実施の形態のディスクドライブ装置は、例えばブルーレイディスクに該当する再生専用ディスクや記録可能型ディスク（ライトワンスディスクやリライタブルディスク）に対応して再生や記録を行うことができるものとする。
記録可能型ディスクの場合、波長４０５ｎｍのレーザ（いわゆる青色レーザ）とＮＡが０．８５の対物レンズの組み合わせという条件下でフェイズチェンジマーク（相変化マーク）や色素変化マークの記録再生を行うものとされ、トラックピッチ０．３２μｍ、線密度０．１２μｍ／bitで、６４ＫＢ（キロバイト）のデータブロックを１つの記録再生単位（ＲＵＢ：Recording Unit Block）として記録再生を行う。
ＲＯＭディスクについては、λ／４程度の深さのエンボスピットにより再生専用のデータが記録される。同様にトラックピッチは０．３２μｍ、線密度は０．１２μｍ／bitである。そして６４ＫＢのデータブロックを１つの再生単位（ＲＵＢ）として扱う。
【００２２】
記録再生単位であるＲＵＢは、１５６シンボル×４９６フレームのＥＣＣブロック（クラスタ）に対して、例えばその前後に１フレームのリンクエリアを付加して生成された合計４９８フレームとなる。
なお、記録可能型ディスクの場合、ディスク上にはグルーブ（溝）が蛇行（ウォブリング）されて形成され、このウォブリンググルーブが記録再生トラックとされる。そしてグルーブのウォブリングは、いわゆるＡＤＩＰ（Address in Pregroove）データを含むものとされる。つまりグルーブのウォブリング情報を検出することで、ディスク上のアドレスを得ることができるようにされている。
【００２３】
記録可能型ディスクの場合、ウォブリンググルーブによって形成されるトラック上にはフェイズチェンジマークによるレコーディングマークが記録されるが、フェイズチェンジマークはＲＬＬ（１，７）ＰＰ変調方式（ＲＬＬ；Run Length Limited、ＰＰ：Parity preserve/Prohibit rmtr(repeated minimum transition runlength)）等により、線密度0.12μｍ/bit、0.08μｍ/ch bitで記録される。
チャネルクロック周期を「Ｔ」とすると、マーク長は２Ｔから８Ｔとなる。
再生専用ディスクの場合、グルーブは形成されないが、同様にＲＬＬ（１，７）ＰＰ変調方式で変調されたデータがエンボスピット列として記録されているものとなる。
【００２４】
このようなディスクに対応して記録／再生を行うことのできるディスクドライブ装置を図１に示す。
ディスク９０は、例えば上記したブルーレイディスク方式の再生専用ディスク或いは記録可能型ディスクである。
このディスク９０は、ディスクドライブ装置に装填されると図示しないターンテーブルに積載され、記録／再生動作時においてスピンドルモータ２によって一定線速度（ＣＬＶ）で回転駆動される。
そして再生時には光学ピックアップ（光学ヘッド）１によってディスク９０上のトラックに記録されたマーク（ピット）の情報の読出が行われる。
またディスク９０が記録可能型のディスクの場合、データ記録時には光学ピックアップ１によってディスク９０上のトラックにユーザーデータがフェイズチェンジマークもしくは色素変化マークとして記録される。
なお、ディスク９０上には、再生専用の管理情報として例えばディスクの物理情報等がエンボスピット又はウォブリンググルーブによって記録されるが、これらの情報の読出もピックアップ１により行われる。さらに記録可能型のディスク９０に対しては、光学ピックアップ１によってディスク９０上のグルーブトラックのウォブリングとして埋め込まれたＡＤＩＰ情報の読み出しもおこなわれる。
【００２５】
ピックアップ１内には、レーザ光源となるレーザダイオードや、反射光を検出するためのフォトディテクタ、レーザ光の出力端となる対物レンズ、対物レンズを介してディスク記録面にレーザ光を照射し、またその反射光をフォトディテクタに導く光学系等が形成される。レーザダイオードは、例えば波長４０５ｎｍのいわゆる青色レーザを出力する。また光学系によるＮＡは０．８５である。
ピックアップ１内において対物レンズは二軸機構によってトラッキング方向及びフォーカス方向に移動可能に保持されている。
またピックアップ１全体はスレッド機構３によりディスク半径方向に移動可能とされている。
またピックアップ１におけるレーザダイオードはレーザドライバ１３からのドライブ信号（ドライブ電流）によってレーザ発光駆動される。
【００２６】
ディスク９０からの反射光情報はフォトディテクタによって検出され、受光光量に応じた電気信号とされてマトリクス回路４に供給される。
マトリクス回路４には、フォトディテクタとしての複数の受光素子からの出力電流に対応して電流電圧変換回路、マトリクス演算／増幅回路等を備え、マトリクス演算処理により必要な信号を生成する。
例えば再生データに相当する再生情報信号（ＲＦ信号）、サーボ制御のためのフォーカスエラー信号、トラッキングエラー信号などを生成する。
さらに、グルーブのウォブリングに係る信号、即ちウォブリングを検出する信号としてプッシュプル信号を生成する。
マトリクス回路４から出力される再生情報信号はデータ検出処理部５へ、フォーカスエラー信号及びトラッキングエラー信号は光学ブロックサーボ回路１１へ、プッシュプル信号はウォブル信号処理回路１５へ、それぞれ供給される。
【００２７】
データ検出処理部５は、再生情報信号の２値化処理を行う。
例えばデータ検出処理部５では、ＲＦ信号のＡ／Ｄ変換処理、ＰＬＬによる再生クロック生成処理、ＰＲ（Partial Response）等化処理、ビタビ復号（最尤復号）等を行い、パーシャルレスポンス最尤復号処理（ＰＲＭＬ検出方式：Partial Response Maximum Likelihood検出方式）により、２値データ列を得る。
なおデータ検出処理部５は例えば図２に示す構成とされるが、このデータ検出処理部５について詳しくは後述する。
【００２８】
ここでパーシャルレスポンス最尤復号処理について簡単に述べておく。光ディスクの再生方式としては近年、パーシャルレスポンス最尤検出方式が広く採用されているが、これはディスクから読み出した信号のユークリッド距離が最小となるパーシャルレスポンス系列を検出する方式であり、パーシャルレスポンスという過程と最尤検出という過程が組み合わせた技術である。
なお、パーシャルレスポンス系列とは、ビット系列にターゲットレスポンスで定義される重みつき加算を施すことで得られる。光ディスクシステムでは、例えばＰＲ（１，２，２，１）などが用いられ、これはビット系列に１，２，２，１の重みをつけて加算した値をパーシャルレスポンス値として返すものである。
パーシャルレスポンスは、１ビットの入力に対して、１ビットよりも長く出力を返す過程であって、再生信号が、連続する４ビットの情報ビットの入力に対してこれらを順に１、２、２、１を乗じて加算した信号として得られる過程が、上記のＰＲ（１，２，２，１）と表現される。
また、最尤検出とは、２つの信号の間にユークリッド距離とよばれる距離を定義して、実際の信号と想定されるビット系列から予想される信号との間の距離を調べて、その距離が最も近くなるようなビット系列を検出する方法である。なお、ここで、ユークリッド距離とは、同じ時刻での２つの信号の振幅差の二乗を全時刻にわたって加算した距離として定義される距離である。また、この距離を最小とするビット系列の探索にはビタビ検出をもちいる。
これらを組み合わせたパーシャルレスポンス最尤検出では、記録媒体のビット情報から得られた信号をイコライザ（波形等化器）とよばれるフィルタでパーシャルレスポンスの過程となるように調整し、得られた再生信号と想定されるビット系列のパーシャルレスポンスとの間のユークリッド距離を調べて、その距離が最も近くなるようなビット系列を検出する。
実際にユークリッド距離が最小となるビット系列を探索するには、前述のビタビ検出によるアルゴリズムが効果を発揮する。
ビタビ検出は、所定の長さの連続ビットを単位として構成される複数のステートと、それらの間の遷移によって表されるブランチで構成されるビタビ検出器が用いられ、全ての可能なビット系列の中から、効率よく所望のビット系列を検出するように構成されている。
【００２９】
データ検出処理部５では、このようなパーシャルレスポンス最尤検出方式を用いて、ディスク９０から読み出した情報としての２値データ列を生成し、後段のエンコード／デコード部７に供給する。
【００３０】
エンコード／デコード部７は、再生時おける再生データの復調と、記録時における記録データの変調処理を行う。即ち、再生時にはデータ復調、デインターリーブ、ＥＣＣデコード、アドレスデコード等を行い、また記録時にはＥＣＣエンコード、インターリーブ、データ変調等を行う。
再生時においては、上記データ検出処理部５で復号された２値データ列がエンコード／デコード部７に供給される。エンコード／デコード部７では上記２値データ列に対する復調処理を行い、ディスク９０からの再生データを得る。即ち、即ちＲＬＬ（１，７）ＰＰ変調が施されてディスク９０に記録されたデータに対しての復調処理と、エラー訂正を行うＥＣＣデコード処理を行って、ディスク９０からの再生データを得る。
エンコード／デコード部７で再生データにまでデコードされたデータは、ホストインターフェース８に転送され、システムコントローラ１０の指示に基づいてホスト機器１００に転送される。ホスト機器１００とは、例えばコンピュータ装置やＡＶ（Audio-Visual）システム機器などである。
【００３１】
ディスク９０が記録可能型ディスクである場合は、その記録／再生時にＡＤＩＰ情報の処理が行われる。
即ちグルーブのウォブリングに係る信号としてマトリクス回路４から出力されるプッシュプル信号は、ウォブル信号処理回路６においてデジタル化されたウォブルデータとされる。またＰＬＬ処理によりプッシュプル信号に同期したクロックが生成される。
ウォブルデータはＡＤＩＰ復調回路１６でＭＳＫ復調、ＳＴＷ復調され、ＡＤＩＰアドレスを構成するデータストリームに復調されてアドレスデコーダ９に供給される。
アドレスデコーダ９は、供給されるデータについてのデコードを行い、アドレス値を得て、システムコントローラ１０に供給する。
【００３２】
記録時には、ホスト機器１００から記録データが転送されてくるが、その記録データはホストインターフェース８を介してエンコード／デコード部７に供給される。
この場合エンコード／デコード部７は、記録データのエンコード処理として、エラー訂正コード付加（ＥＣＣエンコード）やインターリーブ、サブコードの付加等を行う。またこれらの処理を施したデータに対して、ＲＬＬ（１−７）ＰＰ方式の変調を施す。
【００３３】
エンコード／デコード部７で処理された記録データは、ライトストラテジ部１４において、記録補償処理として、記録層の特性、レーザ光のスポット形状、記録線速度等に対する最適記録パワーの微調整やレーザドライブパルス波形の調整などが行われた状態のレーザドライブパルスとされ、レーザドライバ１３に供給される。
そしてレーザドライバ１３は、記録補償処理したレーザドライブパルスをピックアップ１内のレーザダイオードに与えてレーザ発光駆動を実行させる。これによりディスク９０に記録データに応じたマークが形成されることになる。
なお、レーザドライバ１３は、いわゆるＡＰＣ回路（Auto Power Control）を備え、ピックアップ１内に設けられたレーザパワーのモニタ用ディテクタの出力によりレーザ出力パワーをモニタしながらレーザの出力が温度などによらず一定になるように制御する。記録時及び再生時のレーザ出力の目標値はシステムコントローラ１０から与えられ、記録時及び再生時にはそれぞれレーザ出力レベルが、その目標値になるように制御する。
【００３４】
光学ブロックサーボ回路１１は、マトリクス回路４からのフォーカスエラー信号、トラッキングエラー信号から、フォーカス、トラッキング、スレッドの各種サーボドライブ信号を生成しサーボ動作を実行させる。
即ちフォーカスエラー信号、トラッキングエラー信号に応じてフォーカスドライブ信号、トラッキングドライブ信号を生成し、二軸ドライバ１８によりピックアップ１内の二軸機構のフォーカスコイル、トラッキングコイルを駆動することになる。これによってピックアップ１、マトリクス回路４、光学ブロックサーボ回路１１、二軸ドライバ１８、二軸機構によるトラッキングサーボループ及びフォーカスサーボループが形成される。
また光学ブロックサーボ回路１１は、システムコントローラ１０からのトラックジャンプ指令に応じて、トラッキングサーボループをオフとし、ジャンプドライブ信号を出力することで、トラックジャンプ動作を実行させる。
また光学ブロックサーボ回路１１は、トラッキングエラー信号の低域成分として得られるスレッドエラー信号や、システムコントローラ１０からのアクセス実行制御などに基づいてスレッドドライブ信号を生成し、スレッドドライバ１９によりスレッド機構３を駆動する。スレッド機構３には、図示しないが、ピックアップ１を保持するメインシャフト、スレッドモータ、伝達ギア等による機構を有し、スレッドドライブ信号に応じてスレッドモータを駆動することで、ピックアップ１の所要のスライド移動が行なわれる。
【００３５】
スピンドルサーボ回路１２はスピンドルモータ２をＣＬＶ回転させる制御を行う。
スピンドルサーボ回路１２は、ウォブル信号に対するＰＬＬ処理で生成されるクロックを、現在のスピンドルモータ２の回転速度情報として得、これを所定のＣＬＶ基準速度情報と比較することで、スピンドルエラー信号を生成する。
またデータ再生時においては、データ信号処理回路５内のＰＬＬによって生成される再生クロックが、現在のスピンドルモータ２の回転速度情報となるため、これを所定のＣＬＶ基準速度情報と比較することでスピンドルエラー信号を生成することもできる。
そしてスピンドルサーボ回路１２は、スピンドルエラー信号に応じて生成したスピンドルドライブ信号を出力し、スピンドルドライバ１７によりスピンドルモータ２のＣＬＶ回転を実行させる。
またスピンドルサーボ回路１２は、システムコントローラ１０からのスピンドルキック／ブレーキ制御信号に応じてスピンドルドライブ信号を発生させ、スピンドルモータ２の起動、停止、加速、減速などの動作も実行させる。
【００３６】
以上のようなサーボ系及び記録再生系の各種動作はマイクロコンピュータによって形成されたシステムコントローラ１０により制御される。
システムコントローラ１０は、ホストインターフェース８を介して与えられるホスト機器１００からのコマンドに応じて各種処理を実行する。
例えばホスト機器１００から書込命令（ライトコマンド）が出されると、システムコントローラ１０は、まず書き込むべきアドレスにピックアップ１を移動させる。そしてエンコード／デコード部７により、ホスト機器１００から転送されてきたデータ（例えばビデオデータやオーディオデータ等）について上述したようにエンコード処理を実行させる。そして上記のようにエンコードされたデータに応じてレーザドライバ１３がレーザ発光駆動することで記録が実行される。
【００３７】
また例えばホスト機器１００から、ディスク９０に記録されている或るデータの転送を求めるリードコマンドが供給された場合は、システムコントローラ１０はまず指示されたアドレスを目的としてシーク動作制御を行う。即ち光学ブロックサーボ回路１１に指令を出し、シークコマンドにより指定されたアドレスをターゲットとするピックアップ１のアクセス動作を実行させる。
その後、その指示されたデータ区間のデータをホスト機器１００に転送するために必要な動作制御を行う。即ちディスク９０からのデータ読出を行い、データ検出処理部５、エンコード／デコード部７における再生処理を実行させ、要求されたデータを転送する。
【００３８】
なお図１の例は、ホスト機器１００に接続されるディスクドライブ装置として説明したが、本発明のディスクドライブ装置としては他の機器に接続されない形態もあり得る。その場合は、操作部や表示部が設けられたり、データ入出力のインターフェース部位の構成が、図１とは異なるものとなる。つまり、ユーザーの操作に応じて記録や再生が行われるとともに、各種データの入出力のための端子部が形成されればよい。
もちろんディスクドライブ装置の構成例としては他にも多様に考えられ、例えば再生専用装置としての例も考えられる。
【００３９】
［２．データ検出処理部の第１の構成例（ＰＬＬ回路搭載例）］
例えばこのようなディスクドライブ装置を想定した場合において、実施の形態としての特徴的な構成及び動作を説明していく。即ちディスク９０に付着した指紋等のディフェクトによる影響に対して適切に対処し、かつ非ディフェクト領域についての信号再生特性を劣化させないようにする構成及び動作である。
【００４０】
このために本例では、図１に示したデータ検出処理部５は図２のように構成されている。図示するようにデータ検出処理部５は、信号処理部５０，ビタビ復号器５５、ＰＬＬ回路３０，ＨＰＦ（ハイパスフィルタ）４０（以下「ＰＬＬ処理用ＨＰＦ」という）を備える。
また信号処理部５０は、ＨＰＦ（ハイパスフィルタ）５１（以下「信号処理用ＨＰＦ」という）、Ａ／Ｄ変換器５２、ＡＧＣ回路５３、波形等化器５４を有する。
【００４１】
図１に示したマトリクス回路４からデータ検出処理部５に供給される再生情報信号は、まず信号処理用ＨＰＦ５１により帯域制限処理が施される。
この信号処理用ＨＰＦ５１は、通常のディスク再生時に１周内でみられる低周波変動や再生光からのＲＦ信号検出過程で生じるオフセット成分の除去を目的とするものであり、再生情報信号の再生特性が劣化されない程度のカットオフ周波数に設定されている。例えばブルーレイディスクの１倍速再生時では約１ｋＨｚ〜１０ｋＨｚ程度の範囲内でカットオフ周波数が設定される。
なお、指紋等によるディフェクト信号成分の帯域は、例えば６０ｋＨｚ程度のより高い帯域でもパワーを持っており、そのディフェクト信号成分がこの信号処理用ＨＰＦ５１で除去されるものではない。
再生情報信号は、この信号処理用ＨＰＦ５１により低域成分が除去された後、Ａ／Ｄ変換器５２によってデジタルデータに変換される。
【００４２】
Ａ／Ｄ変換器５２から出力されるデジタル化された再生情報信号は、ＡＧＣ回路５３で振幅が一定になるように調整された後、波形等化器５４によりパーシャルレスポンス波形等化される。
そしてこの波形等化された再生情報信号がビタビ復号器５５で最尤復号処理され、その復号結果として２値化されたチャネルデータが出力される。
このチャネルデータが、図１のエンコード／デコード部７に供給され、上述のように復調処理されることで再生データが得られることになる。
【００４３】
Ａ／Ｄ変換器５２のサンプリングクロック、及び波形等化器５４、ビタビ復号器５５で用いる処理クロックはＰＬＬ回路３０により生成される。
このＰＬＬ回路３０には、波形等化器５４の出力段階の再生情報信号が、ＰＬＬ処理用ＨＰＦ４０でフィルタ処理された上で入力される。
ＰＬＬ処理用ＨＰＦ４０は、上記の信号処理用ＨＰＦ５１よりも高いカットオフ周波数とされる。このＰＬＬ処理用ＨＰＦ４０は、再生情報信号におけるディフェクト信号成分による信号レベル変動を除去する目的で設けられており、具体的には、カットオフ周波数は、ブルーレイディスクの１倍速再生時では１０ｋＨｚ〜１００ｋＨｚ程度の範囲内で設定される。
このＰＬＬ処理用ＨＰＦ４０により、指紋等のディフェクト信号成分が除去された再生情報信号は、ＰＬＬ回路３０に入力されることになる。
【００４４】
ＰＬＬ回路３０は、ＶＣＯ３１，位相比較器３２，ループフィルタ３３、Ｄ／Ａ変換器３４を有する。
位相比較器３２は、ＰＬＬ処理用ＨＰＦ４０を介して入力される再生情報信号と、ＶＣＯ３１の出力とについて位相比較を行う。この位相比較結果がループフィルタ３３に与えられて位相誤差信号とされ、Ｄ／Ａ変換器３４でアナログ信号に変換される。そして位相差信号としてのアナログ信号電圧がＶＣＯ３１に供給される。
ＶＣＯ３１には、水晶系の固定の基準クロック（例えば６６ＭＨｚ）が供給されており、Ｄ／Ａ変換器３４から入力される位相誤差電圧に応じて、基準クロックの周波数を上下に可変して出力する。この結果、出力されるチャネルクロックは、再生情報信号に同期したクロックとなり、このチャネルクロックがＡ／Ｄ変換器５２のサンプリングクロック、波形等化器５４，ビタビ復号器５５の処理基準クロックとして用いられる。
【００４５】
本例の場合、データ検出処理部５は以上のように構成されている。
即ち、まず光ディスクに対してレーザ照射を行い、反射光信号としての再生情報信号を得る光ピックアップ１及びマトリクス回路４で得られる再生情報信号についてのディフェクト信号成分を除去するようにカットオフ周波数が設定されたＰＬＬ処理用ＨＰＦ４０を備える。このＰＬＬ処理用ＨＰＦ４０には、信号処理部５０での処理後（波形等化器５４の出力段）の再生情報信号が入力される。
また、ＰＬＬ処理用ＨＰＦ４０を通過した再生情報信号を用いてＰＬＬ処理を行うＰＬＬ回路３０を備える。このＰＬＬ回路３０は、位相比較器３２とＶＣＯ３１を有しており、ＰＬＬ処理として、位相比較器３２によりＰＬＬ処理用ＨＰＦ４０を通過した再生情報信号とＶＣＯ３１の出力信号との位相比較を行い、ＶＣＯ３１が位相比較結果に基づいて周波数信号（チャネルクロック）の出力を行うものとされている。信号処理部５０及びビタビ復号器５５は、ＰＬＬ回路３０から出力されるチャネルクロックを処理クロックとして用いる。
また信号処理部５０は、ＰＬＬ処理用ＨＰＦ４０を通過していない再生情報信号に対して、ＰＬＬ回路３０の出力を用いた処理を行って復号用のデータ（波形等化後のデータ）を得る。なお、信号処理部５０には、再生情報信号のうちで実情報としての信号帯域を通過させるようにカットオフ周波数が設定された信号処理用ＨＰＦ５１が設けられている。
ビタビ復号器５５は、信号処理部５０の出力について復号処理を行って２値化データを出力する。
データ検出処理部５がこのように構成され、ディスクドライブ装置としては、このデータ検出処理部５のビタビ復号器５５で得られた２値化データに対して、エンコード／デコード部７でデータ再生処理を行って再生データを得るものとされる。
【００４６】
従ってこのデータ検出処理部５では、ディスク９０から読み出された再生情報信号についてのディフェクト信号成分を除去するようにカットオフ周波数が設定されたＰＬＬ処理用ＨＰＦ４０により、指紋等の影響によるディフェクト信号成分が除去された再生情報信号を用いてＰＬＬ回路３０でＰＬＬ処理が行われるようにしている。
一方で、二値化復号を行う信号処理部５０及びビタビ復号器５５で処理される再生情報信号については、ディフェクト信号成分を除去するフィルタ処理は行われていない。上述のように信号処理用ＨＰＦ５１は、ディフェクト信号成分の除去を目的としてカットオフ周波数が設定されるものではなく、例えば１０ｋＨｚ以下のカットオフ周波数で再生情報信号の低域変動を抑えるものである。
ブルーレイディスクの場合、図９で述べたように、指紋等によるディフェクト信号成分帯域と実信号帯域（記録信号帯域）が一部重なっているが、信号処理用ＨＰＦ５１は実信号帯域の低域側を除去するものではない。
【００４７】
このような本実施の形態によれば、再生情報信号を用いたＰＬＬ処理で再生情報信号に同期したチャネルクロックを生成するというＰＬＬ回路３０の動作を安定化させることができる。
つまり、ディフェクト信号の影響がある期間の再生情報信号に対する処理について、信号処理部５０及びビタビ復号器５５では安定したチャネルクロックを用いて処理を実行でき、これによって、２値化復号処理性能を向上させることができる。
【００４８】
実際に発明者は、ディフェクトの影響による再生時のエラーレートの悪化、ジッタの悪化の原因を解析したところ、ディフェクトによる再生情報信号のそのものの変動よりも、ＰＬＬ処理で生成されるチャネルクロックがディフェクトの影響で不安定になることが大きな原因であるという結論を得た。そして上記図２の構成により、ＰＬＬ回路３０の動作におけるディフェクト信号成分の影響を排除し、チャネルクロックを安定化させたところ、エラーレートの著しい向上が実現された。
【００４９】
また、信号処理部５０及びビタビ復号器５５で処理される再生情報信号は、ディフェクト信号成分を除去するようなフィルタ処理は行われていない。これはディフェクトの影響のない期間の再生情報信号において、その信号成分の一部がカットされないことを意味する。従って、ディフェクト信号の影響がない信号期間での再生能力も向上されることになる。
結果として本例では、耐ディフェクト性能と復号性能（再生特性）の向上を両立できることになる。
【００５０】
この図２のデータ検出処理部５の変形例を図３，図４に示す。なお、図３，図４において図２と同一部分は同一符号を付し、説明を省略する。
各例は、ＰＬＬ処理用ＨＰＦ４０に入力する再生情報信号を取り出す部位を変えたものである。
図３では、信号処理用ＨＰＦ５１と並列にＰＬＬ処理用ＨＰＦ４０を配置し、信号処理部５０の入力前の再生情報信号が、ＰＬＬ処理用ＨＰＦ４０を介してＰＬＬ回路３０に供給されるようにしたものである。
また図４は、信号処理部５０での処理過程の再生情報信号として、ＡＧＣ回路５３の出力段の再生情報信号が、ＰＬＬ処理用ＨＰＦ４０を介してＰＬＬ回路３０に供給されるようにしたものである。
このほかにも図示しないが、例えば信号処理用ＨＰＦ５１の出力段の再生情報信号が、ＰＬＬ処理用ＨＰＦ４０を介してＰＬＬ回路３０に供給されるようにしたり、さらにはＡ／Ｄ変換器５２の出力段の出力段の再生情報信号が、ＰＬＬ処理用ＨＰＦ４０を介してＰＬＬ回路３０に供給されるようにする構成例も考えられる。
【００５１】
これらの各構成例が考えられるが、いずれにしても、ＰＬＬ処理用ＨＰＦ４０でディフェクト信号成分を除去した再生情報信号を用いてＰＬＬ処理が行われ、また信号処理部５０は、実情報としての信号帯域がカットされていない再生情報信号を用いて信号処理を行うものとなり、上述した図２の構成の場合と同様の効果を得ることができる。
なお、高域信号成分のパワーが小さいと、位相比較器３２での適切な位相比較ができない場合がある。そのような場合は、ＰＬＬ処理用ＨＰＦ４０の前段に高域をブーストするブースト回路を配置するとようにするとよい。
【００５２】
［３．データ検出処理部の第２の構成例（ＩＴＲ−ＰＬＬ回路搭載例）］
続いて第２の構成例として、ＩＴＲ−ＰＬＬ回路搭載したデータ検出処理部５について説明する。
図５にデータ検出処理部５の構成を示す。なお、図２と同一部分は同一符号を付している。
【００５３】
この場合、信号処理部５０は、図２の構成と同様に信号処理用ＨＰＦ５１、Ａ／Ｄ変換器５２、ＡＧＣ回路５３、波形等化器５４を備えることに加え、位相補間器５７を備える構成とされる。
そして位相補間器５７の出力が、復号用のデータとしてビタビ復号器５５に供給される構成となる。
またＰＬＬ処理用ＨＰＦ４０、及びＩＴＲ方式のＰＬＬ処理を行うＩＴＲ−ＰＬＬ回路６０が設けられる。
【００５４】
周波数シンセサイザ５８は、例えば６６ＭＨｚ程度の水晶系の基準クロックが供給され、これを用いて、多少高めの周波数（例えば６８〜７０ＭＨｚ程度）の固定クロックを生成して出力する。
Ａ／Ｄ変換器５２では、サンプリングクロックとして、再生情報信号とは非同期である、周波数シンセサイザ５８からの固定クロックが用いられる。
また、この固定クロックは、波形等化器５４、位相補間器５７、ビタビ復号器５５、ＩＴＲ−ＰＬＬ回路６０において処理基準クロックとして用いられる。
【００５５】
この構成の場合、Ａ／Ｄ変換器５２では再生情報信号とは非同期の固定クロックでサンプリングが行われるため、波形等化器５４の出力段階でのデータは、適切な位相でサンプリングされたものではないが、ＩＴＲ−ＰＬＬ回路６０からの補間タイミング制御に基づいて位相補間器５７がデータ補間処理を行うことで、結果として再生情報信号に同期した本来のタイミングでのサンプリングデータを得ることができ、そのデータをビタビ復号器５５に供給することで適切な２値化処理を行うことができる。
【００５６】
ＩＴＲ−ＰＬＬ回路６０は、仮検出回路６１，位相検出回路６２、ループフィルタ６３、ＮＣＯ（数値制御発振器）６４を備える。
仮検出回路６１は、ＰＬＬ処理用ＨＰＦ４０を介して供給される再生情報信号としてのデータ（この場合、位相補間器５７での補間処理後のデータ）について、所定のスレッショルド値との比較を行って２値化を行う。
２値化によって位相情報は無くなるが、この２値化データと、ＰＬＬ処理用ＨＰＦ４０を介して供給される再生情報信号としての連続的なデータとを位相検出器６２で比較し、位相誤差を検出する。つまり本来のサンプリング位相に対して生じている位相誤差を検出する。
検出された位相誤差の情報はループフィルタ６３を介してＮＣＯ６４に与えられ、ＮＣＯ６４は位相誤差値に応じた位相制御情報を位相補間器５７に出力する。
位相補間器５７は、位相誤差情報に応じた補間処理を行うことで、上記のように再生情報信号の本来のタイミングのデータを生成し、これをビタビ復号器５５に供給する。
【００５７】
このようなＩＴＲ−ＰＬＬ回路６０を用いた本例の構成においても、信号処理用ＨＰＦ５１は、例えばブルーレイディスクの１倍速再生時では約１ｋＨｚ〜１０ｋＨｚ程度の範囲内でカットオフ周波数が設定される。つまり再生情報信号において実情報成分をカットしない。
これに対して、ＰＬＬ処理用ＨＰＦ４０は、そのカットオフ周波数が、ブルーレイディスクの１倍速再生時では１０ｋＨｚ〜１００ｋＨｚ程度の範囲内で設定される。つまり、ＰＬＬ処理用ＨＰＦ４０により、指紋等のディフェクト信号成分が除去された再生情報信号がＩＴＲ−ＰＬＬ回路６０に入力されることになる。
【００５８】
つまりＩＴＲ−ＰＬＬ回路６０は、そのＰＬＬ処理として、位相検出器６２によりＰＬＬ処理用ＨＰＦ４０を通過した再生情報信号についての位相誤差の検出を行い、ＮＣＯ６４が位相誤差の検出結果に基づいて位相制御情報を出力するものとされる。そして信号処理部５０では、ＰＬＬ処理用ＨＰＦ４０を通過していない再生情報信号を固定クロックでサンプリングしたデータに対して、ＩＴＲ−ＰＬＬ回路６０からの位相制御情報を用いて位相補間器５７で補間処理を行い、復号用のデータを得てビタビ復号器５５に供給する。
【００５９】
このような図５の構成の場合も、ＰＬＬ処理用ＨＰＦ４０を介した再生情報信号を用いたＰＬＬ処理を行うことで、ＩＴＲ−ＰＬＬ回路６０の動作が安定し、位相補間器５７に適切な補間タイミング制御を行うことができ、位相補間動作が安定する。従ってディフェクト信号の影響がある期間の再生情報信号に対する処理についても、信号処理部５０及びビタビ復号器５５で安定した処理が実現され、２値化復号（チャネルデータ生成）処理性能を向上させることができる。
また、信号処理部５０及びビタビ復号器５５で処理される再生情報信号は、ディフェクト信号成分を除去するようなフィルタ処理は行われていないため、ディフェクト信号の影響がない信号期間での再生能力も向上されることになる。
結果として本例でも、耐ディフェクト性能と復号性能（再生特性）の向上を両立できることになる。
【００６０】
［４．実施の形態の効果］
以上説明したように、実施の形態のデータ検出処理部５としての各構成及び動作によれば、再生情報信号を用いたＰＬＬ処理の出力（クロックや位相制御信号）を用いて信号検出・２値化を行う回路において、ＰＬＬ回路部（ＰＬＬ回路３０、ＩＴＲ−ＰＬＬ回路６０）に入力される再生情報信号についてＰＬＬ処理用ＨＰＦ４０により光ディスクの信号読み取り面側に付着した指紋等によるディフェクトで信号変動する成分を除去している。
これによって、ディフェクトの影響で再生情報信号の品質が劣化してもＰＬＬ回路部を安定に動作させることができ、その結果としてディフェクトがあっても信号検出能力を高められるという効果がある。
また二値化復号を行う再生情報信号については、より低域の信号変動を信号処理用ＨＰＦ５１で除去するのみであって、ディフェクト信号成分除去のためのフィルタ処理は行わない。従って実信号成分は保たれており、ディフェクトがない領域で再生特性が悪化するということがない。
これにより、耐ディフェクト性と再生特性の両立が実現できる。
【００６１】
図６には、上記図５のＩＴＲ−ＰＬＬ回路６０を用いたデータ検出処理部５において、実際にブルーレイディスクの信号読み取り面側に指紋を付けたときのＳＥＲ（Ｓｙｍｂｏｌ  Ｅｒｒｏｒ  Ｒａｔｅ）の測定した結果を示している。
この実験では、ディスク９０上の指紋付着箇所を含む領域を連続的に記録再生し、シンボルエラーレートを測定した。図６（ａ）（ｂ）（ｃ）（ｄ）の横軸はディスク上のアドレス、縦軸はエラーレートを示しており、アドレス順となる各ＥＣＣブロック単位でシンボルエラーレートを測定した。
なお図６（ａ）（ｂ）（ｃ）（ｄ）は、それぞれＰＬＬ処理用ＨＰＦ４０のカットオフ周波数を、１．６ｋＨｚ、１６ｋＨｚ、２８ｋＨｚ、５９ｋＨｚとした場合を示している。
【００６２】
図６（ａ）のように、ＰＬＬ処理用ＨＰＦ４０のカットオフ周波数があまり高くない場合（信号処理用ＨＰＦ５１のカットオフ周波数と同等もしくはそれに近い場合）では、指紋による影響をキャンセルできず、これによって指紋付着部でシンボルエラーレートが破線で示すクライテリア（４×１０-3）付近まで悪化している。
ところが、カットオフ周波数を２８ｋＨｚ、５９ｋＨｚとした図６（ｃ）（ｄ）の場合は、エラーレートの向上が極めて明瞭に表れている。つまりＰＬＬ処理用ＨＰＦ４０のカットオフ周波数を、ディフェクト信号成分をカットできる適切な周波数に設定することで、指紋付着によるディフェクト部分も、それ以外の非ディフェクト部分も、十分な再生性能が得られることが確認された。
【００６３】
もちろん実施の形態の動作は、指紋だけでなく、ディスク記録面側に付着した他の汚れ等にも改善効果が期待できる。すなわち、光ディスク装置のリムーバブルメディアとして解決しなければならない、指紋や汚れの付着時の再生性能（プレーヤビリティ）を改善することができる。
【００６４】
なお本発明は、上記実施の形態で述べた例に限らず、構成及び動作として多様な変形例が考えられる。
本発明の再生装置としては、ブルーレイディスクに対応するディスクドライブ装置の他、他の各種の光ディスクについて再生を行う装置に広く適用できる。
もちろん、本発明を適用する再生装置が対応するディスクメディアの種別、ｎ倍速再生の実行などにより、ＰＬＬ処理用ＨＰＦ４０、信号処理用ＨＰＦ５１のカットオフ周波数はそれぞれ適切に変更することはいうまでもない。
いずれにしても、ＰＬＬ処理用ＨＰＦ４０については、再生情報信号についてのディフェクト信号成分を除去するようにカットオフ周波数が設定され、一方信号処理用ＨＰＦ５１については、実信号成分を除去しないカットオフ周波数が設定されればよい。
【図面の簡単な説明】
【００６５】
【図１】本発明の実施の形態のディスクドライブ装置のブロック図である。
【図２】実施の形態のデータ検出処理部の第１の構成例のブロック図である。
【図３】実施の形態のデータ検出処理部の変形例のブロック図である。
【図４】実施の形態のデータ検出処理部の変形例のブロック図である。
【図５】実施の形態のデータ検出処理部の第２の構成例のブロック図である。
【図６】実施の形態によるエラーレート検査例の説明図である。
【図７】従来の再生信号処理系のブロック図である。
【図８】従来の再生信号処理系のブロック図である。
【図９】指紋外乱帯域と記録信号帯域の説明図である。
【符号の説明】
【００６６】
１  光ピックアップ、４  マトリクス回路、５  データ検出処理部、７  エンコード／デコード部、３０  ＰＬＬ回路、３１  ＶＣＯ、３２  位相比較器、３３  ループフィルタ、３４  Ｄ／Ａ変換器、４０  ＰＬＬ処理用ＨＰＦ、５０  信号処理部、５１  信号処理用ＨＰＦ、５２  Ａ／Ｄ変換器、５３  ＡＧＣ回路、５４  波形等化器、５５  ビタビ復号器、５７  位相補間器、５８  周波数シンセサイザ、６０  ＩＴＲ−ＰＬＬ回路、６１  仮検出回路、６２  位相検出部、６３  ループフィルタ、６４  ＮＣＯ
【図１】
0005029411.tif 000002
【図２】
0005029411.tif 000003
【図３】
0005029411.tif 000004
【図４】
0005029411.tif 000005
【図５】
0005029411.tif 000006
【図６】
0005029411.tif 000007
【図７】
0005029411.tif 000008
【図８】
0005029411.tif 000009
【図９】
0005029411.tif 000010